(57)【要約】【課題】従来の自動運転機能を備えた空気調和機では、自動運転の運転設定の内容をユーザが把握できない。【解決手段】この端末装置３では、自動運転の運転設定の内容と、表示画面５２に触れることによって自動運転の運転設定の内容に対応した運転の実行操作を行うための操作部６１とが、表示画面５２に表示される。また、自動運転の運転設定の内容は、操作部６１上に表示される。【選択図】図３
2014214935.tif 000002
【特許請求の範囲】
【請求項１】
表示画面と、
空気調和機との間で情報を通信する通信手段と、
前記表示画面に表示される表示内容を制御する制御手段とを備え、
前記制御手段は、
前記通信手段によって空気調和機の自動運転における運転設定の内容を受信した場合に、前記通信手段で受信した前記運転設定の内容と、前記表示画面に触れることによって前記運転設定の内容に対応した運転の実行操作を行うための操作部とを、前記表示画面に表示することを特徴とする端末装置。
【請求項２】
表示画面と、
前記表示画面に表示される表示内容を制御する制御手段と、
空気調和機の自動運転における運転設定の内容を決定する決定手段とを備え、
前記制御手段は、
前記決定手段で決定された前記運転設定の内容と、前記表示画面に触れることによって前記運転設定の内容に対応した運転の実行操作を行うための操作部とを、前記表示画面に表示することを特徴とする端末装置。
【請求項３】
前記表示画面に触れることによって前記運転設定の内容を変更可能であることを特徴とする請求項１または２に記載の端末装置。
【請求項４】
前記制御手段は、空気調和を行う対象となる空調空間の空気状態を前記表示画面に表示することを特徴とする請求項１〜３のいずれかに記載の端末装置。
【請求項５】
前記運転設定の内容が、温度情報、湿度情報、空気質情報、天気情報、および時刻情報の少なくとも１つに基づいて決定されることを特徴とする請求項１〜４のいずれかに記載の端末装置。
【請求項６】
前記運転設定の内容が、空気調和機の過去の使用履歴に基づいて決定されることを特徴とする請求項１〜５のいずれかに記載の端末装置。
【請求項７】
前記運転設定の内容に、空気調和機のタイマ設定を含むことを特徴とする請求項１〜６のいずれかに記載の端末装置。
【請求項８】
前記運転設定の内容が、前記操作部上に表示されることを特徴とする請求項１〜７のいずれかに記載の端末装置。
【請求項９】
空気調和を行う対象となる空調空間を撮像する撮像手段を備え、
前記表示画面は、前記撮像手段で撮像された撮像画像を表示することが可能であって、
前記制御手段は、
前記運転設定の内容と前記操作部とを、前記撮像画像が表示された表示画面に表示することを特徴とする請求項１〜８のいずれかに記載の端末装置。
【請求項１０】
請求項１〜９のいずれかに記載の端末装置と、
前記端末装置に対して情報を供給する空気調和機とを備えることを特徴とする空調ユニット。
【発明の詳細な説明】
【技術分野】
【０００１】
本発明は、例えば空気調和機から情報を取得する端末装置、およびそれを備えた空調ユニットに関する。
【背景技術】
【０００２】
従来の空気調和機には、運転モードや設定温度などの運転設定の内容を自動で決定して、その運転設定の内容に対応した自動運転を行う自動運転機能を備えたものがある。例えば特許文献１の空調ユニットでは、端末装置から取得した使用可能電力量情報に基づいて、設定温度の変更や運転時間の短縮などの運転設定の内容を自動で決定し、その運転設定の内容に対応した自動運転（節電空調モードの運転）を行うことができる。
【先行技術文献】
【特許文献】
【０００３】
【特許文献１】特開２０１０−１７５１０２号公報
【発明の概要】
【発明が解決しようとする課題】
【０００４】
ところで、上記の空調ユニットでは、自動で決定された運転設定の内容に対応した自動運転に切り換えるか否かが、端末装置の表示画面に表示される（特許文献１の図８参照）。したがって、この空調ユニットでは、自動で決定された運転設定の内容に対応した自動運転に切り換えるか否かをユーザが選択できる。しかしながら、上記の空調ユニットでは、自動運転に切り換えるか否かが端末装置の表示画面に表示されるだけで、自動運転の運転設定の内容が具体的にどのような内容であるかは表示されない。そのため、ユーザは自動運転の運転設定の内容がどのような内容であるか把握できないまま、自動運転に切り換えるか否かを選択せざるを得ない。このように従来の自動運転機能を備えた空気調和機では、自動運転の運転設定の内容をユーザが把握できない問題がある。
【０００５】
そこで、本発明の目的は、自動運転の運転設定の内容をユーザが把握できる端末装置、およびそれを備えた空調ユニットを提供することである。
【課題を解決するための手段】
【０００６】
第１の発明にかかる端末装置は、表示画面と、空気調和機との間で情報を通信する通信手段と、前記表示画面に表示される表示内容を制御する制御手段とを備え、前記制御手段は、前記通信手段によって空気調和機の自動運転における運転設定の内容を受信した場合に、前記通信手段で受信した前記運転設定の内容と、前記表示画面に触れることによって前記運転設定の内容に対応した運転の実行操作を行うための操作部とを、前記表示画面に表示することを特徴とする。
【０００７】
この端末装置では、通信手段が空気調和機の自動運転における運転設定の内容を受信すると、通信手段が受信した自動運転の運転設定の内容が表示画面に表示されるので、自動運転の運転設定の内容をユーザが把握できる。
また、自動運転の運転設定の内容が表示される表示画面に、自動運転の運転設定の内容に対応した運転の実行操作を行うための操作部が表示されるので、ユーザが表示画面に触れて操作部を選択（タッチ）するだけで自動運転が実行される。したがって、自動運転の運転設定の内容に対応した運転の実行操作を容易に理解でき、自動運転を容易に実行できる。
【０００８】
第２の発明にかかる端末装置では、表示画面と、前記表示画面に表示される表示内容を制御する制御手段と、空気調和機の自動運転における運転設定の内容を決定する決定手段とを備え、前記制御手段は、前記決定手段で決定された前記運転設定の内容と、前記表示画面に触れることによって前記運転設定の内容に対応した運転の実行操作を行うための操作部とを、前記表示画面に表示することを特徴とする。
【０００９】
この端末装置では、端末装置が空気調和機の自動運転における運転設定の内容を決定する決定手段を有する場合において、自動運転の運転設定の内容をユーザが把握でき、かつ自動運転を容易に実行できる。
【００１０】
第３の発明にかかる端末装置では、第１または第２の発明にかかる端末装置において、前記表示画面に触れることによって前記運転設定の内容を変更可能であることを特徴とする。
【００１１】
この端末装置では、表示画面に触れることによって自動運転の運転設定の内容を変更可能であるので、自動運転の運転設定の内容を基にユーザが希望する運転設定に変更できる。
【００１２】
第４の発明にかかる端末装置では、第１〜第３のいずれかの発明にかかる端末装置において、前記制御手段は、空気調和を行う対象となる空調空間の空気状態を前記表示画面に表示することを特徴とする。
【００１３】
この端末装置では、空気調和を行う対象となる空調空間の空気状態（室内温度、室内湿度など）が表示画面に表示されるので、ユーザが空調空間の空気状態を容易に把握できる。その結果、自動運転の運転設定の内容が適正か否か容易に判断できる。
【００１４】
第５の発明にかかる端末装置では、第１〜第４のいずれかの発明にかかる端末装置において、前記運転設定の内容が、温度情報、湿度情報、空気質情報、天気情報、および時刻情報の少なくとも１つに基づいて決定されることを特徴とする。
【００１５】
この端末装置では、自動運転の運転設定の内容が、温度情報、湿度情報、空気質情報、天気情報、および時刻情報の少なくとも１つに基づいて決定されるので、自動運転の運転設定の内容をその時の空気環境や時間帯等に適した内容にできる。
【００１６】
第６の発明にかかる端末装置では、第１〜第５のいずれかの発明にかかる端末装置において、前記運転設定の内容が、空気調和機の過去の使用履歴に基づいて決定されることを特徴とする。
【００１７】
この端末装置では、自動運転の運転設定の内容が、空気調和機の過去の使用履歴に基づいて決定されるので、自動運転の運転設定の内容をユーザの好みや使用習慣に合わせた設定にできる。
【００１８】
第７の発明にかかる端末装置では、第１〜第６のいずれかの発明にかかる端末装置において、前記運転設定の内容に、空気調和機のタイマ設定を含むことを特徴とする。
【００１９】
この端末装置では、自動運転の運転設定の内容に、空気調和機のタイマ設定を含むので、自動でタイマ運転を行うことができる。したがって、ユーザがタイマ設定する手間を省くことができる。
【００２０】
第８の発明にかかる端末装置では、第１〜第７のいずれかの発明にかかる端末装置において、前記運転設定の内容が、前記操作部上に表示されることを特徴とする。
【００２１】
この端末装置では、自動運転の運転設定の内容が操作部上に表示されるので、ユーザがその操作部の実行操作が自動運転の運転設定の内容と対応していることを理解しやすい。したがって、ユーザが自動運転の運転設定の内容を理解しつつ、それに対応した運転を容易に実行できる。
【００２２】
第９の発明にかかる端末装置では、第１〜第８のいずれかの発明にかかる端末装置において、空気調和を行う対象となる空調空間を撮像する撮像手段を備え、前記表示画面は、前記撮像手段で撮像された撮像画像を表示することが可能であって、前記制御手段は、前記運転設定の内容と前記操作部とを、前記撮像画像が表示された表示画面に表示することを特徴とする。
【００２３】
この端末装置では、空調空間の撮像画像を表示画面に表示できる端末装置において、自動運転の運転設定の内容をユーザが把握できる。
【００２４】
第１０の発明にかかる空調ユニットでは、第１〜第９のいずれかの発明に記載の端末装置と、前記端末装置に対して情報を供給する空気調和機とを備えることを特徴とする。
【００２５】
この空調ユニットでは、上記の端末装置と、端末装置に対して情報を供給する空気調和機とを備えるので、空調空間に含まれる空気質の状態を容易に把握できる空調ユニットを提供できる。
【発明の効果】
【００２６】
以上の説明に述べたように、本発明によれば、以下の効果が得られる。
【００２７】
第１の発明では、通信手段が空気調和機の自動運転における運転設定の内容を受信すると、通信手段が受信した自動運転の運転設定の内容が表示画面に表示されるので、自動運転の運転設定の内容をユーザが把握できる。
また、自動運転の運転設定の内容が表示される表示画面に、自動運転の運転設定の内容に対応した運転の実行操作を行うための操作部が表示されるので、ユーザが表示画面に触れて操作部を選択（タッチ）するだけで自動運転が実行される。したがって、自動運転の運転設定の内容に対応した運転の実行操作を容易に理解でき、その自動運転を容易に実行できる。
【００２８】
第２の発明では、端末装置が空気調和機の自動運転における運転設定の内容を決定する決定手段を有する場合において、自動運転の運転設定の内容をユーザが把握でき、かつ自動運転の内容を容易に実行できる。
【００２９】
第３の発明では、表示画面に触れることによって自動運転の運転設定の内容を変更可能であるので、自動運転の運転設定の内容を基にユーザが希望する運転設定に変更できる。
【００３０】
第４の発明では、空気調和を行う対象となる空調空間の空気状態（室内温度、室内湿度など）が表示画面に表示されるので、ユーザが空調空間の空気状態を容易に把握できる。その結果、自動運転の運転設定の内容が適正か否か容易に判断できる。
【００３１】
第５の発明では、自動運転の運転設定の内容が、温度情報、湿度情報、空気質情報、天気情報、および時刻情報の少なくとも１つに基づいて決定されるので、自動運転の運転設定の内容をその時の空気環境や時間帯等に適した内容にできる。
【００３２】
第６の発明では、自動運転の運転設定の内容が、空気調和機の過去の使用履歴に基づいて決定されるので、自動運転の運転設定の内容をユーザの好みや使用習慣に合わせた設定にできる。
【００３３】
第７の発明では、自動運転の運転設定の内容に、空気調和機のタイマ設定を含むので、自動でタイマ運転を行うことができる。したがって、ユーザがタイマ設定する手間を省くことができる。
【００３４】
第８の発明では、自動運転の運転設定の内容が操作部上に表示されるので、ユーザがその操作部の実行操作が自動運転の運転設定の内容と対応していることを理解しやすい。したがって、ユーザが自動運転の運転設定の内容を理解しつつ、それに対応した運転を容易に実行できる。
【００３５】
第９の発明では、空調空間の撮像画像を表示画面に表示できる端末装置において、自動運転の運転設定の内容をユーザが把握できる。
【００３６】
第１０の発明では、上記の端末装置と、端末装置に対して情報を供給する空気調和機とを備えるので、空調空間に含まれる空気質の状態を容易に把握できる空調ユニットを提供できる。
【図面の簡単な説明】
【００３７】
【図１】本発明の実施形態に係る空調ユニットを示す図である。
【図２】空気調和を行う対象となる空調空間を示す図である。
【図３】自動運転の運転設定の内容が表示された表示画面を示す図である。
【図４】自動運転の運転設定の内容に対応した運転を実行するための操作を説明する図である。
【図５】自動運転の運転設定の内容を変更する操作を説明する図である。
【図６】自動運転の運転設定の内容にタイマ設定が含まれる場合の表示画面を示す図である。
【発明を実施するための形態】
【００３８】
以下、図面を参照しつつ本発明に係る空調ユニット１の実施の形態について説明する。
【００３９】
［空調ユニット１の全体構成］
図１に示すように、本実施形態の空調ユニット１は、室内に設置される室内機２ａおよび室外に設置される室外機２ｂを有する空気調和機２と、室内機２ａ（空気調和機２）との間で情報の通信を行う端末装置３とを備えている。空気調和機２は、圧縮機１０と、四方弁１１と、室外熱交換器と、膨張弁と、室内熱交換器とを接続した冷媒回路を備えている。空気調和機２は、冷房運転、暖房運転、除湿運転、冷房運転と除湿運転を組み合わせた除湿冷房運転、空気清浄運転、加湿運転などが可能である。
【００４０】
例えば冷房運転が行われる場合は、圧縮機１０から吐出された冷媒が四方弁１１から室外熱交換器、膨張弁、室内熱交換器へと順に流れ、室内熱交換器を経た冷媒が四方弁１１を通って圧縮機１０に戻る冷房サイクルが形成される。すなわち、室外熱交換器が凝縮器、室内熱交換器が蒸発器として機能する。また、例えば暖房運転が行われる場合は、四方弁１１が切り換わることにより、圧縮機１０から吐出される冷媒が四方弁１１から室内熱交換器、膨張弁、室外熱交換器へと順に流れ、室外熱交換器を経た冷媒が四方弁１１を通って圧縮機１０に戻る暖房サイクルが形成される。すなわち、室内熱交換器が凝縮器、室外熱交換器が蒸発器として機能する。
【００４１】
［室内機２ａ］
室内機２ａは、上面に室内空気の吸込口を有し、前面下部に空調用空気の吹出口を有している。室内機２ａ内には、吸込口から吹出口に向かって空気流路が形成され、この空気流路には、室内熱交換器と、横流型の室内ファン１８が配置される。したがって、室内ファン１８が回転すると、室内空気が吸込口から室内機２ａ内に吸い込まれ、室内熱交換器を通った後で、吹出口から吹き出される。
【００４２】
室内機２ａの吹出口は、室内機２ａの下端部において、室内機２ａの長手方向に延びている。そして、吹出口には、吹き出される風の風向を変更する風向板１９（上下風向板および左右風向板）が配置されている。上下風向板は、上下方向に揺動して、上下方向について風向を変更する。左右風向板は、左右方向に揺動して、左右方向について風向を変更する。室内機２ａでは、風向板１９（上下風向板および左右風向板）を、それぞれ、所定の位置で固定させたり、所定範囲においてスイング動作を行うことができる。また、室内機２ａは、空調空間６０（室内）の温度を検出する室内温度センサと、空調空間６０の湿度を検出する室内湿度センサと、空調空間６０に含まれる各種空気質（ホコリ、花粉、ウィルス、ニオイなど）を検出する各種センサを有している。なお、各種空気質には、上記の他、カビ、その他微生物、粒子状物質、二酸化炭素、一酸化炭素、有毒ガスなどが含まれてもよい。
【００４３】
室内機２ａは、室内ファン１８、風向板１９（上下風向板および左右風向板）を制御する室内制御部３０を有している。室内制御部３０は、記憶部３１と、情報の通信を行う通信部３２と、空気調和機２の運転設定を決定する決定部３３と、室内温度センサおよび室内湿度センサを含む各種センサとに接続されている。
【００４４】
記憶部３１は、例えば、空調空間６０の空気状態についての情報、空気調和機２の運転情報、空気調和機２の過去の使用履歴についての情報、時刻情報などを記憶するものである。空調空間６０の空気状態についての情報とは、例えば、室内温度情報、室内湿度情報、各種空気質の量についての空気質情報（ホコリ量、花粉量、ウィルス量、ニオイ量など）などである。
【００４５】
通信部３２は、室内機２ａから外部（例えば端末装置３）に対して情報を供給するとともに、端末装置３やネットワーク（インターネット）から供給された情報を受けることができる。ネットワークからは、例えば外気温度情報、外気湿度情報、天気情報が供給される。通信部３２は、例えば無線LAN、ZigBee、bluetooth、光通信などであってよい。したがって、室内制御部３０は、記憶部３１に記憶された情報に基づいて、室内ファン１８の回転数、風向板１９の固定位置や動作を制御する。また、端末装置３や、ネットワークから供給された情報を記憶部３１に記憶したりする。
【００４６】
決定部３３は、例えば記憶部３１に記憶された情報（例えば、温度情報、湿度情報、空気質情報、天気情報、時刻情報、空気調和機２の過去の使用履歴についての情報など）に基づいて空気調和機２の自動運転における運転設定の内容を決定する。運転設定の内容には、運転モード（冷房運転、暖房運転、除湿冷房運転、空気清浄運転、加湿運転など）、設定温度、設定湿度、風量、風向、入タイマ、切タイマ等の設定などが含まれる。なお、この決定部３３は、空気調和機２の運転中において、一定時間毎（例えば、記憶部３１に記憶された温度情報や空気質情報などが更新される毎）に、空気調和機２の自動運転における運転設定の内容を決定する。
【００４７】
［室外機２ｂ］
室外機２ｂは、圧縮機１０、四方弁１１、室外熱交換器および膨張弁を有しており、圧縮機１０および四方弁１１を制御する室外制御部３６を有している。室外制御部３６は、情報の通信を行う通信部３７に接続されている。通信部３７は、室内機２ａとの間で情報の通信を行うことができる。したがって、室外制御部３６は、室内機２ａから供給された情報に基づいて、圧縮機１０の周波数や四方弁１１の動作を制御する。
【００４８】
［端末装置３］
端末装置３は、例えばスマートフォンなどのカメラ付き液晶端末であって、撮像部５０（撮像手段）と、表示画面５２とを有している。端末装置３では、表示画面５２が端末装置３の一面に配置されており、その反対側の面に、撮像部５０が配置されている。そして、端末装置３は、撮像部５０および表示画面５２を制御する制御部５３（制御手段）を有している。制御部５３は、記憶部５４と、画像変換部５５と、操作検知部５６と、空気調和機２の運転設定を決定する決定部５７（決定手段）と、情報の通信を行う通信部５８（通信手段）とに接続されている。
【００４９】
記憶部５４は、例えば撮像部５０によって撮像された撮像画像、空調空間６０の空気状態、空気調和機２の運転設定などを記憶するものである。画像変換部５５は、空調空間６０の空気状態についての情報（例えば、室内湿度情報）を、その情報に対応した仮想空間画像に変換する。
【００５０】
操作検知部５６は、ユーザが表示画面５２に触れて、自動運転の運転設定の内容に対応した運転の実行操作を行ったり、運転モードの変更操作を行った場合に、その操作を検知する。操作検知部５６によって検知された操作についての情報は記憶部５４に記憶された後、通信部５８を介して室内機２ａに供給される。決定部５７（決定手段）は、端末装置３の例えば表示画面５２に表示される運転設定の内容変更部（不図示）をユーザが操作して、運転設定の内容が変更されたときに、空気調和機２の運転設定の内容をその操作に対応した設定に決定する。決定部５７によって決定された空気調和機２の運転設定の内容は、記憶部５４に記憶される。
【００５１】
通信部５８は、端末装置３から室内機２ａに対して情報を供給するとともに、室内機２ａ（空気調和機２）やネットワーク（インターネット）から供給された情報を受けることができる。例えば、通信部５８は、空調空間６０の空気状態についての情報、室内機２ａの決定部３３で決定された空気調和機２の自動運転における運転設定の内容を受信する。
【００５２】
したがって、制御部５３は、記憶部５４に記憶された撮像画像を表示画面５２に表示したり、空調空間６０の空気状態についての情報を例えば仮想空間画像や文字情報として表示画面５２に表示したり、空気調和機２の自動運転における運転設定の内容を例えば文字情報として表示画面５２に表示する。また、制御部５３は、操作検知部５６によって検知された操作についての情報を室内機２ａに供給したり、記憶部５４に記憶された情報を端末装置３に対して通信したり、端末装置３やネットワークから供給された情報を記憶部５４に記憶したりする。
【００５３】
［表示画面５２に表示される内容］
室内機２ａは、図２に示すように、空気調和を行う対象となる空調空間６０の壁面に配置される。端末装置３において、ソフトを起動し、カメラ表示の設定モードにすることによって空調空間６０を撮像できる状態になる。そして、端末装置３によって空調空間６０を撮像した場合には、その撮像された画像（撮像画像）が表示画面５２に表示される。図３は、撮像画像が表示画面５２に表示された端末装置３の例を示している。図３（ａ）〜（ｃ）は、それぞれ、ユーザが図２に図示された位置Ｔ１、Ｔ２、Ｔ３にいるときに、端末装置３を室内機２ａに向けて空調空間を撮像した場合を示している。このように、端末装置３では、撮像部５０を室内機２ａに向けると、撮像部５０が捕らえた室内機２ａの傾きと大きさから、端末装置３と室内機２ａの距離と位置関係を計算し割り出して、撮像画像を表示画面５２に表示する。
【００５４】
図３に示すように、表示画面５２には、撮像画像が表示されるとともに、自動運転の運転設定の内容、および表示画面５２に触れることによって自動運転の運転設定の内容に対応した運転の実行操作を行うための操作部６１が表示される。自動運転の運転設定の内容は、図３に示すように、操作部６１上に表示される。図３では、運転モードが除湿冷房運転であって、設定温度が２８℃であることを示している。このように、表示画面５２に自動運転の運転設定の内容が表示されるので、ユーザが自動運転の運転設定の内容を把握できる。
【００５５】
また、図３に示すように、表示画面５２の例えば左上には、外気温度情報および天気情報が表示される。外気温度情報は、図３では、文字情報として表示され、現在の外気温度が３０℃であることを示している。天気情報は、図３では、画像情報として表示され、現在夜間で晴れであることを示している。また、表示画面５２の例えば中央には、空気調和の対象となる空調空間６０の空気状態が表示される。図３では、空気状態として室内温度と室内湿度とが表示されている。室内温度と室内湿度は、文字情報として表示される。図３では、現在の室内温度が３０℃であって、現在の室内湿度が６０％であることを示している。このように、表示画面５２に空調空間６０の空気状態が表示されるので、ユーザは室内機２ａで決定された自動運転の運転設定の内容が適正か否か判断できる。
【００５６】
また、室内湿度は、室内湿度に対応した複数（１またはゼロになることもある）の仮想空間画像６２としても表示される。仮想空間画像６２は、表示画面５２内に散らばるように表示される。表示画面５２に対する仮想空間画像６２の割合（具体的には、仮想空間画像６２の数）は、空調空間６０に含まれる水分量（室内湿度の高さ）に基づいて決まっている。より詳しくは、空調空間６０に含まれる水分量が多くなると、表示画面５２に対する仮想空間画像６２の割合が増え、空調空間６０に含まれる水分量が少なくなると、表示画面５２に対する仮想空間画像６２の割合が減る（ゼロを含む）。このように、表示画面５２に表示された仮想空間画像６２が、湿度を表しているので、ユーザは、表示画面５２に表示された仮想空間画像６２によって、空調空間６０の湿度状態を容易に把握することができる。
【００５７】
自動運転の運転設定の内容は、温度情報（外気温度情報および室内温度情報）、湿度情報（外気湿度情報および室内湿度情報）、空気質情報、天気情報および時刻情報などを複合して決定される。例えば冷房運転時において、外気温度が高く室内温度も高い場合、天気が晴れである場合、時刻が日中である場合などは温度設定が低めに設定される。また、例えば冷房運転時において、外気温度が低い場合、天気が雨である場合、時刻が夜間である場合などは温度設定が高めに設定される。また、例えば冷房運転時において、天気が雨であって、室内温度が低く室内湿度が高い場合には、除湿冷房運転が設定される。また、例えば空調空間６０（室内）の湿度が所定より高い場合は除湿運転が設定される。また、例えば空調空間６０の湿度が所定より低い場合や、ウィルス量が多い場合には加湿運転が付加設定される。また、室内の空気が汚れている場合（例えば、空調空間６０のホコリ量やニオイ量が多い場合）には、空気清浄運転が付加設定される。また、時刻が深夜で就寝時刻に近い場合、就寝タイマが付加設定される。
【００５８】
また、自動運転の運転設定の内容は、空気調和機２の過去の使用履歴が考慮されて決定される。例えばユーザが手動で設定した過去の温度設定に基づいて、自動運転の設定温度がユーザの好みの温度に設定される。また、例えばユーザが手動で設定した過去の入タイマや切タイマの時間に基づいて、入タイマや切タイマが設定される。例えば、図６は、自動運転の運転設定の内容にタイマ設定を含む場合の例を示している。具体的には、図６では、自動で切タイマ設定がされており、除湿冷房運転が自動的に２３：００に停止することを示している。また、例えば日中から天気が晴れて外気温度が高い状態のまま夜間になった場合は、熱帯夜を想定して就寝時の切タイマ時刻が通常ユーザが設定する時刻よりも遅い時刻に設定される。また、例えば冷房運転時において、室内温度は高いが外気温度が通常ユーザが設定する設定温度よりも低い場合には、外気冷房運転が設定される。
【００５９】
以下、ユーザが表示画面５２に触れて行う操作方法について説明する。
【００６０】
（自動運転の実行操作）
図４（ａ）では、自動運転の運転設定の内容および操作部６１が、空調空間６０の撮像画像上に重ねて表示されている。そして、ユーザが自動運転の運転設定の内容に対応した運転を実行したい場合には、図４（ｂ）に示すように、表示画面５２に表示された操作部６１を選択（タッチ）する。すると、ユーザの操作内容が端末装置３から室内機２ａに供給され、自動運転の運転設定の内容に対応した運転が実行されるように空気調和機２が制御される。
【００６１】
（自動運転の運転設定の変更操作）
図５（ａ）では、自動運転の運転設定の内容および操作部６１が、空調空間６０の撮像画像上に重ねて表示されている。そして、ユーザが例えば表示画面５２内にある運転設定の内容切換部（不図示）を選択（タッチ）すると、図５（ｂ）に示すように、操作部６１上に表示された自動運転の運転設定の内容が、自動運転の運転設定の内容を変更する画面に切り換わる。この画面では、現在の運転モード（図５では、除湿冷房運転）の隣に例えば上向き矢印および下向き矢印が表示される。そして、これら矢印に触れることで運転モードを変更できる。また、現在の設定温度（図５では、２８℃）の隣に例えば上向き矢印および下向き矢印が表示される。そして、これら矢印に触れることで設定温度を変更できる。したがって、この画面では、運転モードの切り換え操作と設定温度の変更操作とを行うことができる。例えば、図５（ｃ）は、除湿冷房運転が冷房運転に変更され、設定温度が２８℃から２５℃に変更された例を示している。自動運転の運転設定の内容を変更した後においては、図５（ｄ）に示すように、自動運転の運転設定の内容を変更する画面から自動運転の運転設定の内容が表示された画面に切り換わる。そして、自動運転の運転設定の内容が表示された状態で、操作部６１を選択（タッチ）すると、ユーザの操作内容が端末装置３から室内機２ａに供給され、ユーザが操作した後の運転モードおよび設定温度と一致するように、空気調和機２の運転が制御される。具体的には、空気調和機２の運転モードが変更される場合には、四方弁１１が切り換えられ、設定温度が変更された場合には、例えば空調空間６０の温度（室内温度）と設定温度との温度差に基づいて、圧縮機１０の周波数が制御される。
【００６２】
また、自動運転の運転設定の内容に対応した自動運転が開始された後において、自動運転の運転設定の内容が自動的に変わる場合には、表示画面５２に変更後の自動運転の運転設定の内容が表示される。そして、ユーザが、操作部６１を選択（タッチ）すると、変更後の自動運転の運転設定の内容に基づいて、空気調和機２の運転が制御される。したがって、自動運転の運転設定の内容が自動的に変わる場合に、ユーザに自動運転の運転設定の内容が変わることを通知して確認を促すことができる。
【００６３】
＜本実施形態の端末装置３および空調ユニット１の特徴＞
本実施形態の端末装置３および空調ユニット１には、以下の特徴がある。
【００６４】
本実施形態の端末装置３では、端末装置３の通信部５８（通信手段）が空気調和機２の自動運転における運転設定の内容を受信すると、図３に示すように、通信部５８が受信した自動運転の運転設定の内容が表示画面５２に表示される。したがって、自動運転の運転設定の内容をユーザが把握できる。
また、自動運転の運転設定の内容が表示される表示画面５２に、自動運転の運転設定の内容に対応した運転の実行操作を行うための操作部６１が表示されるので、ユーザが表示画面５２に触れて操作部６１を選択（タッチ）するだけで自動運転が実行される。したがって、自動運転の運転設定の内容に対応した運転の実行操作を容易に理解でき、自動運転を容易に実行できる。
【００６５】
また、本実施形態の端末装置３では、図５に示すように、表示画面５２に触れることによって自動運転の運転設定の内容を変更可能であるので、自動運転の運転設定の内容を基にユーザが希望する運転設定の内容に変更できる。
【００６６】
また、本実施形態の端末装置３では、図３に示すように、空調空間６０の空気状態（図３では、室内温度および室内湿度）が表示画面５２に表示されるので、ユーザが空調空間６０の空気状態を把握できる。その結果、自動運転の運転設定の内容が適正か否か容易に判断できる。
【００６７】
また、本実施形態の端末装置３では、自動運転の運転設定の内容が、温度情報、湿度情報、空気質情報、天気情報、および時刻情報に基づいて決定されるので、自動運転の運転設定の内容をその時の空気環境等に適した内容にできる。
【００６８】
また、本実施形態の端末装置３では、自動運転の運転設定の内容が、空気調和機２の過去の使用履歴に基づいて決定されるので、自動運転の運転設定の内容をユーザの好みや使用環境に合わせた設定にできる。
【００６９】
また、本実施形態の端末装置３では、自動運転の運転設定の内容に、空気調和機２のタイマ設定を含むので、自動でタイマ運転を行うことができる。したがって、ユーザがタイマ設定する手間を省くことができる。
【００７０】
また、本実施形態の端末装置３では、自動運転の運転設定の内容が操作部６１上に表示されるので、ユーザがその操作部６１の実行操作が自動運転の運転設定の内容と対応していることを理解しやすい。したがって、ユーザが自動運転の運転設定の内容を理解しつつ、それに対応した運転を容易に実行できる。
【００７１】
また、本実施形態の端末装置３では、空調空間６０の撮像画像を表示画面５２に表示できる端末装置３において、自動運転の運転設定の内容をユーザが把握できる。
【００７２】
また、本実施形態の端末装置３では、図３に示すように、空調空間６０の空気状態についての情報（具体的には、室内湿度情報）が仮想空間画像６２として表示画面５２に表示されるので、ユーザが空調空間６０の空気状態を直感的に把握できる。したがって、自動運転の運転設定の内容が適正か容易に判断できる。
【００７３】
また、本実施形態の空調ユニット１では、端末装置３と、端末装置３に対して情報を供給する空気調和機２とを備えるので、空調空間６０に含まれる空気質の状態を容易に把握できる空調ユニット１を提供できる。
【００７４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７５】
［変形例］
上記実施形態では、室内機２ａ（空気調和機２）が、空気調和機２の自動運転における運転設定の内容を決定したが、端末装置３の決定部５７（決定手段）が、例えば室内機２ａ（空気調和機２）やネットワークから供給された情報に基づいて、空気調和機２の自動運転における運転設定の内容を決定してもよい。
【００７６】
上記の変形例では、端末装置３が空気調和機２の自動運転における運転設定の内容を決定する決定部５７（決定手段）を有する場合において、自動運転の運転設定の内容をユーザが把握でき、かつ自動運転を容易に実行できる。
【００７７】
また、上記実施形態では、室内機２ａ（空気調和機２）が、空気調和機２の自動運転における運転設定の内容を決定したが、室内機２ａや端末装置３との間で情報を通信する外部装置（例えばサーバ）が、空気調和機２の自動運転における運転設定の内容を決定してもよい。
【００７８】
また、上記実施形態では、空気調和機２の運転中において、一定時間毎に、自動運転の運転設定の内容が決定されるが、例えばユーザが端末装置３等に設けられた自動運転モード選択部（不図示）を選択するなどして、空気調和機２の自動運転が開始されるときに自動運転の運転設定の内容が決定されるものであってもよい。
【００７９】
また、上記実施形態では、端末装置３が空気調和を行う対象となる空調空間６０を撮像する撮像部５０（撮像手段）を有しているが、撮像部５０を有していなくてもよい。すなわと、自動運転の運転設定の内容と操作部６１とが、空調空間６０の撮像画像上に表示されなくてもよい。
【００８０】
また、上記実施形態では、自動運転の運転設定の内容が、温度情報、湿度情報、空気質情報、天気情報、および時刻情報などを複合して決定されるが、温度情報、湿度情報、空気質情報、天気情報、および時刻情報などの少なくとも１つに基づいて決定されてもよい。
【００８１】
また、上記実施形態では、温度情報とは、外気温度情報および室内温度情報を指すが、外気温度情報および室内温度情報のいずれか一方を指してもよい。
【００８２】
また、上記実施形態では、湿度情報とは、外気湿度情報および室内湿度情報を指すが、外気湿度情報および室内湿度情報のいずれか一方を指してもよい。
【００８３】
また、上記実施形態では、図３および図６に示すように、自動運転の運転設定の内容として、運転モード、設定温度および切タイマが表示画面５２に表示される場合について説明したが、これに限られるものではない。運転モード、設定温度および切タイマの少なくとも１つが表示されてもよいし、例えば設定湿度、風量、風向、入タイマ等が表示されてもよい。また、例えば設定湿度、風量、風向、入タイマ等が表示画面５２に表示される場合において、例えば設定湿度、風量、風向、入タイマ等の設定内容が表示画面５２に触れることによって変更可能であってもよい。
【００８４】
また、上記実施形態では、図５に示すように、運転モードとして、冷房運転および除湿冷房運転が表示される場合について説明したが、例えば暖房運転、除湿運転、空気清浄運転、加湿運転などが表示されてもよい。
【００８５】
また、上記実施形態では、自動運転の運転設定の内容に空気調和機２のタイマ設定を含むが、空気調和機２のタイマ設定を含んでいなくてもよい。
【００８６】
また、上記実施形態では、図３に示すように、空調空間６０の空気状態として、室内湿度および室内温度を文字情報として表示画面５２に表示したが、例えばホコリ量、ウィルス量、花粉量、ニオイ量などを文字情報として表示してもよい。
【００８７】
また、上記実施形態では、図３に示すように、空調空間６０の空気状態として、室内湿度を、室内湿度に対応した仮想空間画像として表示画面５２に表示したが、例えば室内温度、ホコリ量、ウィルス量、花粉量、ニオイ量などを、それぞれに対応した仮想空間画像として表示してもよい。
【００８８】
また、上記実施形態では、図３に示すように、空調空間６０の空気状態（具体的には、室内湿度および室内温度）を表示画面５２に表示したが、空調空間６０の空気状態を表示しなくてもいい。
【００８９】
また、上記実施形態では、図５に示すように、表示画面５２に触れることによって自動運転の運転設定の内容を変更可能としたが、自動運転の運転設定の内容は変更できなくてもよい。
【００９０】
また、上記実施形態では、自動運転の運転設定の内容が操作部６１上に表示されるが、それに限られるものではない。したがって、自動運転の運転設定の内容と操作部６１とが離れて表示されてもよい。
【００９１】
また、上記実施形態では、空気調和機２として、室内機２ａと室外機２ｂを有するものを例に挙げて説明したが、空気調和機２は、例えば空気清浄運転が可能な空気清浄機であってもよい。
【００９２】
また、上記実施形態では、端末装置３として、例えばスマートフォンなどのカメラ付き液晶端末を例に挙げて説明したが、端末装置３は空気調和機２のリモコンであってもよい。
【産業上の利用可能性】
【００９３】
本発明を利用すれば、自動運転の運転設定の内容をユーザが把握できる。
【符号の説明】
【００９４】
１  空調ユニット
２  空気調和機
３  端末装置
５０  撮像部（撮像手段）
５２  表示画面
５３  制御部（制御手段）
５７  決定部（決定手段）
５８  通信部（通信手段）
６０  空調空間
６１  操作部
【図１】
2014214935.tif 000003
【図２】
2014214935.tif 000004
【図３】
2014214935.tif 000005
【図４】
2014214935.tif 000006
【図５】
2014214935.tif 000007
【図６】
2014214935.tif 000008